(57)【要約】【課題】携帯端末の画面では、高精細コンテンツ等の表示情報が見づらい場合にその表示を見やすくする。【解決手段】携帯端末Ａ（２０）又はコンテンツ配信サーバ１７０から携帯端末Ｂ（４０）へ映像情報を送信する場合、携帯端末Ａ（２０）又はコンテンツ配信サーバ１７０から携帯端末Ｂ（４０）に対し、携帯端末Ｂ（４０）の近くに設置されている大画面表示装置５０に映像情報を表示する指示を与えると共に、大画面表示装置５０に映像情報を配信する。携帯端末Ｂ（４０）は、携帯端末Ａ（２０）又はコンテンツ配信サーバ１７０からの指示に基づき、大画面表示装置５０に指示を与える。大画面表示装置５０は、携帯端末Ｂ（４０）からの指示に基づき、携帯端末Ａ（２０）又はコンテンツ配信サーバ１７０から送られてきた映像情報を拡大表示する。【選択図】  図１
2006277276.tif 000002
【特許請求の範囲】
【請求項１】
表示情報を送信する情報送信装置と、
前記情報送信装置に通信可能に接続され、当該情報送信装置から送られてくる表示情報を第１の画面上に表示する端末と、
前記情報送信装置及び前記端末との間で通信可能に接続され、前記第１の画面よりも大きい第２の画面を有する表示装置とを備え、
前記端末は、前記情報送信装置に所定の指示を与え、
前記情報送信装置は、前記端末からの指示に基づいて、当該端末用の表示情報を所定の位置にある前記表示装置に送り、
前記表示装置は、前記情報送信装置から送られてくる表示情報を前記第２の画面上に拡大表示可能に受信することを特徴とする情報拡大表示システム。
【請求項２】
前記表示装置は、前記端末からの指示に基づいて、前記表示情報を前記第２の画面上に拡大表示することを特徴とする請求項１に記載の情報拡大表示システム。
【請求項３】
前記表示装置は、前記端末からの指示に基づいて、前記表示情報を印刷することを特徴とする請求項１又は２に記載の情報拡大表示システム。
【請求項４】
前記端末は、前記指示と共に自端末の位置情報を前記情報送信装置に送り、
前記情報送信装置は、送られてきた前記端末の位置情報に基づいて、当該端末の位置に最も近い位置にある前記表示装置を特定し、特定された前記表示装置に前記表示情報を送ることを特徴とする請求項１乃至３のいずれか１項に記載の情報拡大表示システム。
【請求項５】
前記情報送信装置は、前記表示情報の容量の大小に応じて前記表示装置を特定し、特定された前記表示装置に前記表示情報を送ることを特徴とする請求項１乃至４のいずれか１項に記載の情報拡大表示システム。
【請求項６】
前記情報送信装置は、前記表示装置に対し所定の通信回線を介して前記表示情報を送ることを特徴とする請求項１乃至５のいずれか１項に記載の情報拡大表示システム。
【請求項７】
前記情報送信装置は、ネットワーク上の情報配信サーバであることを特徴する請求項１乃至６のいずれか１項に記載の情報拡大表示システム。
【請求項８】
前記情報配信サーバは、前記表示情報を前記表示装置に送信する場合に課金されることを特徴とする請求項７に記載の情報拡大表示システム。
【請求項９】
前記情報送信装置は、前記端末以外の他の端末であることを特徴する請求項１乃至６のいずれか１項に記載の情報拡大表示システム。
【請求項１０】
前記端末又は前記他の端末は、前記表示情報を前記表示装置に送信する場合に課金されることを特徴とする請求項９に記載の情報拡大表示システム。
【請求項１１】
前記表示情報は、高精細映像であることを特徴する請求項１乃至１０のいずれか１項に記載の情報拡大表示システム。
【請求項１２】
表示情報を送信する情報送信装置と、前記情報送信装置に通信可能に接続され、当該情報送信装置から送られてくる表示情報を第１の画面上に表示する端末と、前記情報送信装置及び前記端末との間で通信可能に接続され、前記第１の画面よりも大きい第２の画面を有する表示装置とを備えた情報拡大表示システムの動作方法であって、
前記端末が、前記情報送信装置に所定の指示を与えるステップと、
前記情報送信装置が、前記端末からの指示に基づいて、当該端末用の表示情報を所定の位置にある前記表示装置に送るステップと、
前記表示装置は、前記情報送信装置から送られてくる表示情報を前記第２の画面上に拡大表示可能に受信するステップとを有することを特徴とする情報拡大表示システムの動作方法。
【請求項１３】
前記表示装置が、前記端末からの指示に基づいて、前記表示情報を前記第２の画面上に拡大表示するステップをさらに有することを特徴とする請求項１２に記載の情報拡大表示システムの動作方法。
【請求項１４】
前記表示装置が、前記端末からの指示に基づいて、前記表示情報を印刷するステップをさらに有することを特徴とする請求項１２又は１３に記載の情報拡大表示システムの動作方法。
【請求項１５】
前記端末が指示を与えるステップは、当該指示と共に自端末の位置情報を前記情報送信装置に送るものであり、
前記情報送信装置が表示情報を送信するステップは、前記情報送信装置が、送られてきた前記端末の位置情報に基づいて、当該端末の位置に最も近い位置にある前記表示装置を特定し、特定された前記表示装置に前記表示情報を送るものであることを特徴とする請求項１２乃至１４のいずれか１項に記載の情報拡大表示システムの動作方法。
【請求項１６】
前記情報送信装置が表示情報を送信するステップは、前記情報送信装置が、前記表示情報の容量の大小に応じて前記表示装置を特定し、特定された前記表示装置に前記表示情報を送るものであることを特徴とする請求項１２乃至１４のいずれか１項に記載の情報拡大表示システムの動作方法。
【請求項１７】
前記情報送信装置が表示情報を送信するステップは、前記情報送信装置が、前記表示装置に対し所定の通信回線を介して前記表示情報を送るものであることを特徴とする請求項１２乃至１６のいずれか１項に記載の情報拡大表示システムの動作方法。
【請求項１８】
表示情報を第１の画面上に表示する端末と、前記第１の画面よりも大きい第２の画面を有する表示装置とに通信可能に接続された情報配信サーバであって、
前記端末からの指示に基づいて、当該端末用の表示情報を所定の位置にある前記表示装置に送ることを特徴とする情報配信サーバ。
【請求項１９】
送られてきた前記端末の位置情報に基づいて、当該端末の位置に最も近い位置にある前記表示装置を特定し、特定された前記表示装置に前記表示情報を送ることを特徴とする請求項１８に記載の情報配信サーバ。
【請求項２０】
前記表示情報の容量の大小に応じて前記表示装置を特定し、特定された前記表示装置に前記表示情報を送ることを特徴とする請求項１８又は１９に記載の情報配信サーバ。
【請求項２１】
情報送信装置から送られてくる表示情報を第１の画面上に表示する端末であって、
前記表示情報を前記情報送信装置及び前記端末との間で通信可能に接続され且つ前記第１の画面よりも大きい第２の画面を有する表示装置に送り、当該表示装置の第２の画面上に拡大表示するように前記情報送信装置に指示を与えることを特徴とする端末。
【請求項２２】
前記表示情報を前記第２の画面上に拡大表示するように前記表示装置に指示を与えることを特徴とする請求項２１に記載の端末。
【請求項２３】
前記表示情報を印刷するように前記表示装置に指示を与えることを特徴とする請求項２１又は２２に記載の端末。
【請求項２４】
当該端末の位置に最も近い位置にある前記表示装置を特定し、特定された前記表示装置に前記表示情報を送るように前記情報送信装置に前記指示と共に自端末の位置情報を送ることを特徴とする請求項２１乃至２３のいずれか１項に記載の端末。
【請求項２５】
表示情報を送信する情報送信装置と、当該情報送信装置から送られてくる表示情報を第１の画面上に表示する端末とに通信可能に接続され、前記第１の画面よりも大きい第２の画面を有する表示装置であって、
前記情報送信装置から送られてくる前記端末用の表示情報を前記第２の画面上に拡大表示可能に受信することを特徴とする表示装置。
【請求項２６】
前記端末からの指示に基づいて、前記表示情報を前記第２の画面上に拡大表示することを特徴とする請求項２５に記載の表示装置。
【請求項２７】
前記端末からの指示に基づいて、前記表示情報を印刷することを特徴とする請求項２５又は２６に記載の表示装置。
【請求項２８】
表示情報を第１の画面上に表示する端末と、前記第１の画面よりも大きい第２の画面を有する表示装置とに接続された情報配信サーバの動作プログラムであって、
コンピュータに、
前記端末からの指示に基づいて、当該端末用の表示情報を所定の位置にある前記表示装置に送るステップを実行させることを特徴とする情報配信サーバの動作プログラム。
【請求項２９】
前記情報送信装置が表示情報を送信するステップは、送られてきた前記端末の位置情報に基づいて、当該端末の位置に最も近い位置にある前記表示装置を特定し、特定された前記表示装置に前記表示情報を送るものであることを特徴とする請求項２８に記載の情報配信サーバの動作プログラム。
【請求項３０】
前記情報送信装置が表示情報を送信するステップは、前記表示情報の容量の大小に応じて前記表示装置を特定し、特定された前記表示装置に前記表示情報を送るものであることを特徴とする請求項２８又は２９に記載の情報配信サーバの動作プログラム。
【請求項３１】
情報送信装置から送られてくる表示情報を第１の画面上に表示する端末の動作プログラムであって、
コンピュータに、
前記表示情報を前記情報送信装置及び前記端末との間で通信可能に接続され且つ前記第１の画面よりも大きい第２の画面を有する表示装置に送り、当該表示装置の第２の画面上に拡大表示するように前記情報送信装置に指示を与えるステップを実行させることを特徴とする端末の動作プログラム。
【請求項３２】
前記情報送信装置に指示を与えるステップは、前記表示情報を前記第２の画面上に拡大表示するように前記表示装置に指示を与えるものであることを特徴とする請求項３１に記載の端末の動作プログラム。
【請求項３３】
前記コンピュータに、
前記表示情報を印刷するように前記表示装置に指示を与えるステップをさらに実行させることを特徴とする請求項３１又は３２に記載の端末の動作プログラム。
【請求項３４】
前記情報送信装置に指示を与えるステップは、当該端末の位置に最も近い位置にある前記表示装置を特定し、特定された前記表示装置に前記表示情報を送るように前記情報送信装置に前記指示と共に自端末の位置情報を送るものであることを特徴とする請求項３１乃至３３のいずれか１項に記載の端末の動作プログラム。
【請求項３５】
表示情報を送信する情報送信装置と、当該情報送信装置から送られてくる表示情報を第１の画面上に表示する端末とに通信可能に接続され、前記第１の画面よりも大きい第２の画面を有する表示装置の動作プログラムであって、
コンピュータに、
前記情報送信装置から送られてくる前記端末用の表示情報を前記第２の画面上に拡大表示可能に受信するステップを実行させることを特徴とする表示装置の動作プログラム。
【請求項３６】
前記コンピュータに、
前記端末からの指示に基づいて、前記表示情報を前記第２の画面上に拡大表示するステップをさらに実行させることを特徴とする請求項３５に記載の表示装置の動作プログラム。
【請求項３７】
前記コンピュータに、
前記端末からの指示に基づいて、前記表示情報を印刷するステップをさらに実行させることを特徴とする請求項３５又は３６に記載の表示装置の動作プログラム。
【発明の詳細な説明】
【技術分野】
【０００１】
本発明は、情報表示システム、その動作方法、情報配信サーバ、携帯端末、及びこれらの動作プログラムに係り、特に携帯端末用の表示情報を他の表示装置に表示する情報拡大表示システムに関する。
【背景技術】
【０００２】
携帯電話では、デジタル情報を媒介にして、相手先の携帯電話に対し、音声を伝達するほか、例えばｉ−ｍｏｄｅ（登録商標）等の携帯電話向けインターネット接続サービスを利用してメールを伝送したり、内蔵カメラで撮影した静止画や動画等の情報を送ったりすることができる。相手先は、このようにデジタル情報を媒介にして送られてくるメール、静止画、動画等のデジタルコンテンツを携帯電話機の内蔵メモリに保存したまま持ち運べ、時間や場所等の制約を殆ど受けずに携帯電話機の画面上に表示して確認することができるといった利点がある。
【０００３】
ところで一方、近年の携帯電話の普及に伴い、高齢者の所有率も増加してきているが、老眼の強い高齢者にとっては、携帯電話機の画面上の表示文字が小さくて見づらい場合もある。その対策として、画面上の文字を大きく表示する仕組みを携帯電話機に組み込んだものもある。しかし、携帯電話の画面の絶対的大きさには自ずと限度があり、文字を大きくすれば、その分、多くの情報が見づらくなる。その結果、使用者によっては、上記のような携帯電話の利点を生かすことができないという不都合が生じている。
【０００４】
これに関する先行技術文献として、携帯電話機にプロジェクタ部を設け、携帯電話の液晶部を投射して拡大表示するプロジェクタ付携帯電話装置が提案されている（特許文献１参照）。しかし、このような投射という光を最も使う方法では、消費電力量が大きく、携帯電話の利便性と電力消費／軽量化の面で相反することになると共に、伝送容量の面で使用者のパケット伝送コストだけでなく、システムに与える影響も懸念される。
【０００５】
また、他の先行技術文献として、ネットワークを利用して携帯電話からビデオコンテンツのダウンロード先の指示を出すビデオレンタル方法及それに用いられる装置が提案されている（特許文献２参照）。しかし、この場合、いつでもどこからでもネットワークに接続してさまざまなサービスが利用できるユビキタス時代に相応しく、自分の行く先々で高精細の画像を見るためには、自分の位置情報とリンクした仕組みが必要である。
【特許文献１】特開２０００−２３６３７５号公報
【特許文献２】特開２００３−０５０９５４号公報
【発明の開示】
【発明が解決しようとする課題】
【０００６】
上述したように、従来の携帯端末では、画面上のコンテンツ表示が例えば老眼の強い高齢者や目の良くない人にとっては大変見づらいものになっている。
【０００７】
本発明は、上記の問題を解消し、携帯端末の画面では、高精細コンテンツ等の表示情報が見づらい場合にその表示を見やすくすることを目的とする。
【課題を解決するための手段】
【０００８】
上記の目的を達成するため、本発明に係る情報拡大表示システムは、表示情報を送信する情報送信装置と、前記情報送信装置に通信可能に接続され、当該情報送信装置から送られてくる表示情報を第１の画面上に表示する端末と、前記情報送信装置及び前記端末との間で通信可能に接続され、前記第１の画面よりも大きい第２の画面を有する表示装置とを備え、前記端末は、前記情報送信装置に所定の指示を与え、前記情報送信装置は、前記端末からの指示に基づいて、当該端末用の表示情報を所定の位置にある前記表示装置に送り、前記表示装置は、前記情報送信装置から送られてくる表示情報を前記第２の画面上に拡大表示可能に受信することを特徴とする。
【０００９】
本発明において、前記表示装置は、前記端末からの指示に基づいて、前記表示情報を前記第２の画面上に拡大表示してもよい。また、前記表示装置は、前記端末からの指示に基づいて、前記表示情報を印刷してもよい。
【００１０】
本発明において、前記端末は、前記指示と共に自端末の位置情報を前記情報送信装置に送り、前記情報送信装置は、送られてきた前記端末の位置情報に基づいて、当該端末の位置に最も近い位置にある前記表示装置を特定し、特定された前記表示装置に前記表示情報を送ってもよい。また、前記情報送信装置は、前記表示情報の容量の大小に応じて前記表示装置を特定し、特定された前記表示装置に前記表示情報を送ってもよい。さらに、前記情報送信装置は、前記表示装置に対し所定の通信回線を介して前記表示情報を送ってもよい。
【００１１】
本発明において、前記情報送信装置は、ネットワーク上の情報配信サーバであってもよい。この場合、前記情報配信サーバは、前記表示情報を前記表示装置に送信する場合に課金されてもよい。また、前記情報送信装置は、前記端末以外の他の端末であってもよい。この場合、前記端末又は前記他の端末は、前記表示情報を前記表示装置に送信する場合に課金されてもよい。さらに、前記表示情報は、高精細映像であってもよい。
【００１２】
本発明に係る情報拡大表示システムの動作方法は、表示情報を送信する情報送信装置と、前記情報送信装置に通信可能に接続され、当該情報送信装置から送られてくる表示情報を第１の画面上に表示する端末と、前記情報送信装置及び前記端末との間で通信可能に接続され、前記第１の画面よりも大きい第２の画面を有する表示装置とを備えた情報拡大表示システムの動作方法であって、前記端末が、前記情報送信装置に所定の指示を与えるステップと、前記情報送信装置が、前記端末からの指示に基づいて、当該端末用の表示情報を所定の位置にある前記表示装置に送るステップと、前記表示装置は、前記情報送信装置から送られてくる表示情報を前記第２の画面上に拡大表示可能に受信するステップとを有することを特徴とする。
【００１３】
本発明において、前記表示装置が、前記端末からの指示に基づいて、前記表示情報を前記第２の画面上に拡大表示するステップをさらに有してもよい。また、前記表示装置が、前記端末からの指示に基づいて、前記表示情報を印刷するステップをさらに有してもよい。
【００１４】
本発明において、前記端末が指示を与えるステップは、当該指示と共に自端末の位置情報を前記情報送信装置に送るものであり、前記情報送信装置が表示情報を送信するステップは、前記情報送信装置が、送られてきた前記端末の位置情報に基づいて、当該端末の位置に最も近い位置にある前記表示装置を特定し、特定された前記表示装置に前記表示情報を送るものであってもよい。また、前記情報送信装置が表示情報を送信するステップは、前記情報送信装置が、前記表示情報の容量の大小に応じて前記表示装置を特定し、特定された前記表示装置に前記表示情報を送るものであってもよい。さらに、前記情報送信装置が表示情報を送信するステップは、前記情報送信装置が、前記表示装置に対し所定の通信回線を介して前記表示情報を送るものであってもよい。
【００１５】
本発明に係る情報配信サーバは、表示情報を第１の画面上に表示する端末と、前記第１の画面よりも大きい第２の画面を有する表示装置とに通信可能に接続された情報配信サーバであって、前記端末からの指示に基づいて、当該端末用の表示情報を所定の位置にある前記表示装置に送ることを特徴とする。
【００１６】
本発明において、送られてきた前記端末の位置情報に基づいて、当該端末の位置に最も近い位置にある前記表示装置を特定し、特定された前記表示装置に前記表示情報を送ってもよい。また、前記表示情報の容量の大小に応じて前記表示装置を特定し、特定された前記表示装置に前記表示情報を送ってもよい。
【００１７】
本発明に係る端末は、情報送信装置から送られてくる表示情報を第１の画面上に表示する端末であって、前記表示情報を前記情報送信装置及び前記端末との間で通信可能に接続され且つ前記第１の画面よりも大きい第２の画面を有する表示装置に送り、当該表示装置の第２の画面上に拡大表示するように前記情報送信装置に指示を与えることを特徴とする。
【００１８】
本発明において、前記表示情報を前記第２の画面上に拡大表示するように前記表示装置に指示を与えてもよい。また、前記表示情報を印刷するように前記表示装置に指示を与えてもよい。さらに、前記端末の位置に最も近い位置にある前記表示装置を特定し、特定された前記表示装置に前記表示情報を送るように前記情報送信装置に前記指示と共に自端末の位置情報を送ってもよい。
【００１９】
本発明に係る表示装置は、表示情報を送信する情報送信装置と、当該情報送信装置から送られてくる表示情報を第１の画面上に表示する端末とに通信可能に接続され、前記第１の画面よりも大きい第２の画面を有する表示装置であって、前記情報送信装置から送られてくる前記端末用の表示情報を前記第２の画面上に拡大表示可能に受信することを特徴とする。
【００２０】
本発明において、前記端末からの指示に基づいて、前記表示情報を前記第２の画面上に拡大表示してもよい。また、前記端末からの指示に基づいて、前記表示情報を印刷してもよい。
【００２１】
本発明に係る情報配信サーバの動作プログラムは、表示情報を第１の画面上に表示する端末と、前記第１の画面よりも大きい第２の画面を有する表示装置とに接続された情報配信サーバの動作プログラムであって、コンピュータに、前記端末からの指示に基づいて、当該端末用の表示情報を所定の位置にある前記表示装置に送るステップを実行させることを特徴とする。
【００２２】
本発明において、前記情報送信装置が表示情報を送信するステップは、送られてきた前記端末の位置情報に基づいて、当該端末の位置に最も近い位置にある前記表示装置を特定し、特定された前記表示装置に前記表示情報を送るものであってもよい。また、前記情報送信装置が表示情報を送信するステップは、前記表示情報の容量の大小に応じて前記表示装置を特定し、特定された前記表示装置に前記表示情報を送るものであってもよい。
【００２３】
本発明に係る端末の動作プログラムは、情報送信装置から送られてくる表示情報を第１の画面上に表示する端末の動作プログラムであって、コンピュータに、前記表示情報を前記情報送信装置及び前記端末との間で通信可能に接続され且つ前記第１の画面よりも大きい第２の画面を有する表示装置に送り、当該表示装置の第２の画面上に拡大表示するように前記情報送信装置に指示を与えるステップを実行させることを特徴とする。
【００２４】
本発明において、前記情報送信装置に指示を与えるステップは、前記表示情報を前記第２の画面上に拡大表示するように前記表示装置に指示を与えるものであってもよい。また、前記コンピュータに、前記表示情報を印刷するように前記表示装置に指示を与えるステップをさらに実行させてもよい。さらに、前記情報送信装置に指示を与えるステップは、当該端末の位置に最も近い位置にある前記表示装置を特定し、特定された前記表示装置に前記表示情報を送るように前記情報送信装置に前記指示と共に自端末の位置情報を送るものであってもよい。
【００２５】
本発明に係る表示装置の動作プログラムは、表示情報を送信する情報送信装置と、当該情報送信装置から送られてくる表示情報を第１の画面上に表示する端末とに通信可能に接続され、前記第１の画面よりも大きい第２の画面を有する表示装置の動作プログラムであって、コンピュータに、前記情報送信装置から送られてくる前記端末用の表示情報を前記第２の画面上に拡大表示可能に受信するステップを実行させることを特徴とする。
【００２６】
本発明において、前記コンピュータに、前記端末からの指示に基づいて、前記表示情報を前記第２の画面上に拡大表示するステップをさらに実行させてもよい。また、前記コンピュータに、前記端末からの指示に基づいて、前記表示情報を印刷するステップをさらに実行させてもよい。
【発明の効果】
【００２７】
本発明によれば、携帯端末の画面では、高精細コンテンツ等の表示情報が見づらい場合であっても、携帯端末の画面より大きい画面上に表示されるため、その表示が格段に見やすくなる。
【発明を実施するための最良の形態】
【００２８】
以下、本発明に係る情報拡大表示システム、その動作方法、情報配信サーバ、携帯端末、及びこれらの動作プログラムを実施するための最良の形態について、図面を参照して詳細に説明する。
【００２９】
図１は、本発明の実施例による情報拡大表示システムを示す全体の構成図である。
【００３０】
図１に示す情報拡大表示システムは、例えばＴＣＰ（Transmission Control Protocol）／ＩＰ（Internet Protocol）に基づくＩＰネットワークとして機能する公衆回線又は専用線から成る通信回線のうち、光ファイバ網等のブロードバンド回線から成る高速ネットワークを成すネットワークＡ（１００）上の各ノードと、例えば携帯電話回線やＰＨＳ（Personal Handyphone System）回線等の無線通信回線から構成されるネットワークＢ（２００）上の各ノードとを有している。
【００３１】
ネットワークＡ（１００）上の各ノードには、本実施例では、大画面表示装置５０、位置特定システム６０、及びコンテンツ配信サーバ１７０が含まれる。
【００３２】
図２は、大画面表示装置５０の概略構成図である。図２に示す大画面表示装置５０は、例えば携帯電話機の画面よりも画面サイズが大きく且つネットワーク接続可能な表示装置であれば、携帯装置でも固定装置でもいずれでも適用可能である。
【００３３】
その一例として、図２に示すように、大画面表示装置５０は、機能上、携帯端末との間で通信が可能な携帯電話通信部（電話機能部）５１と、ネットワーク通信が可能なネットワーク通信部５２と、液晶ディスプレイ等の大画面表示部５３と、赤外線通信、ブルートゥース通信、省電力無線通信等の無線通信方式を用いて短距離の通信を行うローカル通信部５４と、ファイル格納領域を有するハードディスクアレイ５６とを有し、これらがＢＵＳ（バス）５５を介して接続されている。その他、特に図示しないが、メモリ等の記録媒体内に予め設定された動作プログラムを実行して装置内の各部の全体動作を制御する制御部（コントローラ）も、ＢＵＳ５５に接続されている。
【００３４】
ハードディスクアレイ５６のファイル格納領域内には、各種制御情報（後述参照）をファイルとして格納する制御情報ファイル格納領域５７、位置特定システム６０により特定される自位置の位置情報をファイルとして格納する位置情報ファイル格納領域５８、及びデジタルコンテンツをファイルとして格納するコンテンツ情報ファイル格納領域５９が設定されている。
【００３５】
この構成により、大画面表示装置５０は、ネットワーク通信部５２を経由して大容量のデジタルコンテンツを受信し、ハードディスクアレイ５６内のコンテンツ情報ファイル格納領域５９に蓄積し、大画面表示部５３に大容量のデジタルコンテンツを表示する。また、ローカル通信部５４からの制御信号に従い、大画面表示部５３にデジタルコンテンツを表示する。また、位置特定システム６０により特定される自装置の位置情報をファイルとして位置情報ファイル格納領域５７に格納し、携帯電話通信部５１からの位置情報確認の通信時にその位置情報を返答する。
【００３６】
位置特定システム６０は、ネットワークを介して各ノードの位置を特定し得る機能を有するコンピュータ機から構成され、例えばＧＰＳ（Global Positioning System）システムを用いたものや、各種ＩＣ（Integrated Circuit）タグを用いたもの等が適用可能である。位置特定システム６０は、本実施例では携帯端末Ａ（２０）、Ｂ（４０）及び大画面表示装置５０の位置を特定可能となっている。
【００３７】
コンテンツ配信サーバ１７０は、例えばＰＣ（Personal Computer）サーバや専用サーバ等のコンピュータ機（ＣＰＵ、メモリ、及び各種入出力機器等）で構成され、携帯端末に対して静止画や動画像等の各種デジタルコンテンツ（高精細情報、大画面用表示映像を含む）を配信可能となっている。このコンテンツ配信サーバ１７０を成すコンピュータ機は、ＣＰＵがメモリ等の記録媒体内に予め設定された動作プログラムを実行することによりコンテンツ配信サーバ１７０内の各部の全体動作を制御する。なお、このコンテンツ配信サーバ１７０の管理運用は、例えばコンテンツ配信事業者によって行われる。
【００３８】
ネットワークＢ（２００）上の各ノードには、本実施例では、基地局Ａ（１０）及び基地局Ｂ（３０）が含まれる。図１の例では、基地局Ａ（１０）は、携帯端末Ａ（２０）との間で無線通信を行う一方、基地局Ｂ（３０）は、携帯端末Ｂ（４０）との間で無線通信を行う。
【００３９】
図３は、携帯端末Ａ（２０）及びＢ（４０）の概略構成図である。
【００４０】
図３に示す携帯端末Ａ（２０）及びＢ（４０）は、本実施例では携帯電話機から構成され、機能上、携帯電話通信部１１と、携帯電話操作部１２と、携帯画面表示部１３と、赤外線通信方式、ブルートゥース通信方式、省電力無線通信方式等の無線方式を用いて短距離の通信を行うローカル通信部１４と、及びファイル格納領域を有するハードディスクアレイ１６とを有し、これらがＢＵＳ（バス）１５を介して接続されている。その他、特に図示しないが、メモリ等の記録媒体内に予め設定された動作プログラムを実行して装置内の各部の全体動作を制御する制御部（コントローラ）も、ＢＵＳ５５に接続されている。
【００４１】
ハードディスクアレイ１６のファイル格納領域内には、各種制御情報（後述参照）をファイルとして格納する制御情報ファイル格納領域１７と、位置特定システム６０により特定される自端末の位置情報をファイルとして格納する位置情報ファイル格納領域１８とが設定されている。
【００４２】
携帯電話通信部１１は、通信アンテナ、送受信回路、ベースバンド回路等の高周波回路を有し、ネットワークＢ（２００）上の各基地局を介して他の通信端末又はネットワークＡ（１００）上の各ノードとの間で、音声の他、位置情報や各種情報をやりとりする。
【００４３】
携帯電話操作部１２は、使用者が操作するための各種操作キー等の操作器で構成され、使用者の操作により携帯画面表示部１３へのコンテンツ表示やローカル通信部１４での通信の指示等が可能となっている。
【００４４】
図１に示す情報表示システムは、携帯端末Ａ（２０）又はコンテンツ配信サーバ１７０から送信されたデジタルコンテンツ（表示情報）を携帯端末Ｂ（４０）で受信する場合、位置特定システム６０を利用して携帯端末Ｂ（４０）の近くにある大画面表示装置５０を特定し、送信先を携帯端末Ｂ４０から、特定された大画面表示装置５０に切り替えてデジタルコンテンツを送信し、携帯端末Ｂ４０の携帯画面表示部１３ではなく、大画面表示装置５０でデジタルコンテンツを表示する。
【００４５】
図４は、携帯端末Ａ（２０）から携帯端末Ｂ（４０）へデジタルコンテンツを送信する際に送信先を大画面表示装置５０に切り替える場合の情報（デジタルコンテンツ、制御情報、及び位置情報）の流れを示す。この場合は、デジタルコンテンツ（表示情報）の送信者が携帯端末Ａ（２０）、その受信者が携帯端末Ｂ（４０）となる。
【００４６】
携帯端末Ａ（２０）から携帯端末Ｂ（４０）へデジタルコンテンツを送る場合、携帯端末Ａ（２０）は、携帯端末Ｂ（４０）から送られてくる表示希望情報及び位置情報等の情報Ｘを受信し、これに基づいて、送信すべきデジタルコンテンツの容量の大小に応じて送信先を切り替える。すなわち、容量が大きいデジタルコンテンツ（以下、「デジタルコンテンツ大」と省略する）の場合は、そのデジタルコンテンツ大を大画面表示装置５０に送り、容量が小さいデジタルコンテンツ（以下、「デジタルコンテンツ小」と省略する）の場合は、携帯端末Ｂ（４０）に送る。これにより、大画面表示装置５０は、デジタルコンテンツ大を受信及び表示し、携帯端末Ｂ（４０）は、デジタルコンテンツ小を受信及び表示する。
【００４７】
この場合、携帯端末Ａ（２０）内の制御情報には、デジタルコンテンツ小を表示する場合の情報と、デジタルコンテンツ大を表示する場合の情報とが含まれる。また、携帯端末Ｂ（４０）内の制御情報には、携帯端末Ｂ（４０）にデジタルコンテンツ小の表示を指示する場合の情報や、赤外線等のローカル通信を用いて大画面表示装置５０にデジタルコンテンツ大の表示を指示する場合の情報が含まれる。さらに、大画面表示装置５０内の制御情報には、携帯端末Ａ（２０）の制御情報により携帯端末Ｂ（４０）の制御情報の指示によりデジタルコンテンツ大を表示する際の指示が受けたとき、デジタルコンテンツ大を表示する場合の情報が含まれる。
【００４８】
位置特定システム６０は、携帯端末Ｂ（４０）の位置を位置情報Ｂとして特定し、かつ携帯端末Ｂ（４０）の最も近くに設置されている大画面表示装置５０を位置情報Ｃとして特定する。携帯端末Ｂ（４０）の位置情報Ｂは、移動後のそれぞれの場所で必要時に位置特定システム６０から取得される。大画面表示装置５０の位置情報Ｃは、大画面表示装置５０が移動する場合は、上記と同じ方法により、また固定設置の場合はその設置時等の適宜な時期に予めシステム内に組み込まれた方法により、取得される。
【００４９】
図５は、コンテンツ配信サーバ１７０から携帯端末Ｂ（４０）へデジタルコンテンツを送信する際に送信先を大画面表示装置５０に切り替える場合の情報（デジタルコンテンツ、制御情報、及び位置情報）の流れを示す。この場合は、デジタルコンテンツ（表示情報）の送信者がコンテンツ配信サーバ１７０、その受信者が携帯端末Ｂ（４０）となる。
【００５０】
コンテンツ配信サーバ１７０から携帯端末Ｂ（４０）へデジタルコンテンツを送る場合、コンテンツ配信サーバ１７０は、デジタルコンテンツ大を大画面表示装置５０に送る。大画面表示装置５０は、送られたデジタルコンテンツ大を受信及び表示する。
【００５１】
コンテンツ配信サーバ１７０内の制御情報には、デジタルコンテンツ大を表示する場合の情報が含まれている。また、携帯端末Ｂ（４０）の制御情報には、赤外線等のローカル通信を用いて大画面表示装置５０にデジタルコンテンツ大の表示を指示する場合の情報が含まれている。さらに、大画面表示装置５０の制御情報には、携帯端末Ａ（２０）の制御情報により携帯端末Ｂ（４０）の制御情報の指示によりデジタルコンテンツ大を表示する際の指示を受けたとき、デジタルコンテンツ大を表示する場合の制御情報が含まれている。
【００５２】
位置特定システム６０は、携帯端末Ｂ（４０）の位置を位置情報Ｂとして特定し、かつ携帯端末Ｂ（４０）の位置の近くにある大画面表示装置５０を位置情報Ｃとして特定する。携帯端末Ｂ（４０）の位置情報Ｂは、移動後のそれぞれの場所で必要時に位置特定システム６０から取得される。大画面表示装置５０の位置情報Ｂは、大画面表示装置５０が移動する場合は、上記と同じ方法により、また固定設置の場合はその設置時等の適宜な時期に予めシステム内に組み込まれた方法により、取得される。
【００５３】
次に、図６を参照して、携帯端末Ａ（２０）から携帯端末Ｂ（４０）へデジタルコンテンツを送信する際に送信先を大画面表示装置５０に切り替える場合の動作の流れを説明する。この場合は、デジタルコンテンツ（表示情報）の送信者が携帯端末Ａ（２０）、その受信者が携帯端末Ｂ（４０）となる。ここで、図６に示す動作は、携帯端末Ａ（２０）の制御部（図示しない）、携帯端末Ｂ（４０）の制御部（図示しない）、大画面表示装置５０の制御部（図示しない）が各々のメモリ等の記録媒体に設定された動作プログラムを実行することにより行われる。
【００５４】
まず、携帯端末Ａ（２０）と携帯端末Ｂ（３０）との間で通信確立を行う（ステップ７２、８２）。この通信確立は、デジタルコンテンツの容量が大きな場合、大画面表示装置５０の表示画面にコンテンツを表示するか否かを確認するものである。
【００５５】
通信確立後、携帯端末Ｂ（４０）は、デジタルコンテンツの容量が大きく、使用者の近くにある大画面表示装置５０にデジタルコンテンツを表示してもらいたい場合、位置特定システム６０により取得された自端末の位置情報の連絡及び大画面表示装置５０への情報配信依頼を携帯端末Ａ（２０）に返答する（ステップ８３）。
【００５６】
携帯端末Ａ（２０）は、携帯端末Ｂ（４０）から送られてくる位置情報連絡及び大画面表示装置５０への情報配信依頼をもとに、大容量のデジタルコンテンツの配信先を特定し（ステップ７３）、制御情報を携帯端末Ｂ（４０）と大画面表示装置５０とに送信する（ステップ７４）。制御情報の中には、携帯端末Ｂ（４０）との間の赤外線通信等のローカル通信により送られてくるコンテンツ表示指示により大画面表示装置５０が大画面表示する場合の制御情報も含まれている。
【００５７】
ここで、大容量のデジタルコンテンツが高精細情報（表示情報）である場合、携帯端末Ａ（２０）は、携帯端末Ｂ（４０）からの位置情報連絡及び大画面表示装置５０への情報配信依頼をもとに、高精細情報を大画面表示装置５０にネットワークＡ（１００）から成る高速ネットワークを介して送信する（ステップ７５）。この場合に課金される側は、例えば送信者側となる。
【００５８】
大画面表示装置５０は、携帯端末Ａ（２０）から送られてくる高精細情報を大画面表示可能に受信し（ステップ９２）、受信された高精細情報を携帯端末Ｂ（４０）から赤外線通信等のローカル通信により送られてくるコンテンツ表示指示により大画面表示する（ステップ９３）。
【００５９】
携帯端末Ｂ（４０）は、大画面表示装置５０が大画面表示したデジタルコンテンツを利用者にて確認（視認）後、確認／視認情報を携帯端末Ａ（２０）に連絡する（ステップ８５）。また、そのデジタルコンテンツが地図など印刷可能な場合であり、大画面表示装置５０が印刷機能（図示しない）を持っている場合には、プリント指示を大画面表示装置５０に送信する（ステップ８６）。大画面表示装置５０は、携帯端末Ｂ（４０）から送られてくるプリント指示に基づいて、デジタルコンテンツを画面印刷出力する（ステップ９４）。この場合に課金される側は、例えば指示を出す受信者側となる。
【００６０】
携帯端末Ａ（２０）の処理は、高精細情報を送信後または携帯端末Ｂ（４０）からの確認／視認情報の連絡を受けた後に終了する。携帯端末Ｂ（４０）の処理は、確認／視認情報の連絡後、画面印刷出力されたデジタルコンテンツを入手後に終了する。大画面表示装置５０の処理は、大画面表示後または画面印刷出力後に終了する。
【００６１】
なお、デジタルコンテンツの容量が大きく、大画面表示装置５０に表示する方が良い旨の情報は、携帯端末Ａ（２０）の使用者が携帯端末Ｂ（４０）の使用者の状況を理解している場合（例えば、老眼の強い人や目の悪い人であると認識している場合）、予め通信確立の際にやりとりしてもよい。
【００６２】
次に、図７を参照して、コンテンツ配信サーバ１７０から携帯端末Ｂ（４０）へデジタルコンテンツを送信する際に送信先を大画面表示装置５０に切り替える場合の動作の流れを説明する。この場合は、デジタルコンテンツ（表示情報）の送信者がコンテンツ配信サーバ１７０、その受信者が携帯端末Ｂ（４０）となる。ここで、図７に示す動作は、コンテンツ配信サーバ１７０のＣＰＵ（図示しない）、携帯端末Ｂ（４０）の制御部（図示しない）、大画面表示装置５０の制御部（図示しない）が各々のメモリ等の記録媒体に設定された動作プログラムを実行することにより行われる。
【００６３】
まず、コンテンツ配信サーバ１７０と携帯端末Ｂ（４０）との間で通信確立を行う（ステップ１７２、８２）。この通信確立は、携帯端末Ｂ（４０）が位置特定システム６０により取得した位置情報を確認し、大容量のデジタルコンテンツを高速ネットワーク経由で携帯端末Ｂ（４０）の近くの大画面表示装置５０に高精細情報を送信する配信先特定を確認するものである。
【００６４】
通信確立後、携帯端末Ｂ（４０）は、位置特定システム６０により取得された自端末の位置情報の連絡及び大画面表示装置５０への情報配信依頼をコンテンツ配信サーバ１７０に返答する（ステップ８３）。
【００６５】
コンテンツ配信サーバ１７０は、携帯端末Ｂ（４０）から送られてくる位置情報連絡及び大画面表示装置５０への情報配信依頼をもとに、大容量のデジタルコンテンツの配信先を特定し（ステップ７３）、制御情報を携帯端末Ｂ（４０）と大画面表示装置５０とに送信する（ステップ７４）。制御情報の中には、携帯端末Ｂ（４０）との間の赤外線通信等のローカル通信により送られてくるコンテンツ表示指示により大画面表示装置５０が大画面表示する場合の制御情報も含まれている。
【００６６】
ここで、大容量のデジタルコンテンツが高精細情報（表示情報）である場合、携帯端末Ａ（２０）は、携帯端末Ｂ（４０）からの位置情報連絡及び大画面表示装置５０への情報配信依頼をもとに、高精細情報を大画面表示装置５０にネットワークＡ（１００）から成る高速ネットワークを介して送信する（ステップ７５）。この場合に課金される側は、例えば送信者側となる。
【００６７】
大画面表示装置５０は、コンテンツ配信サーバ１７０から送られてくる高精細情報を大画面表示可能に受信し（ステップ９２）、受信された高精細情報を携帯端末Ｂ（４０）から赤外線通信等のローカル通信により送られてくるコンテンツ表示指示により大画面表示する（ステップ９３）。
【００６８】
携帯端末Ｂ（４０）は、大画面表示装置５０が大画面表示したデジタルコンテンツを利用者にて確認（視認）後、確認／視認情報をコンテンツ配信サーバ１７０に連絡する（ステップ８５）。また、そのデジタルコンテンツが地図など印刷可能な場合であり、大画面表示装置５０が印刷機能（図示しない）を持っている場合には、プリント指示を大画面表示装置５０に送信する（ステップ８６）。大画面表示装置５０は、携帯端末Ｂ（４０）から送られてくるプリント指示に基づいて、デジタルコンテンツを画面印刷出力する（ステップ９４）。この場合に課金される側は、例えば指示を出す受信者側となる。
【００６９】
コンテンツ配信サーバ１７０の処理は、高精細情報を送信後または携帯端末Ｂ（４０）からの確認／視認情報の連絡を受けた後に終了する。携帯端末Ｂ（４０）の処理は、確認／視認情報の連絡後、画面印刷出力されたデジタルコンテンツを入手後に終了する。大画面表示装置５０の処理は、大画面表示後または画面印刷出力後に終了する。
【００７０】
以上本発明の実施形態について説明したが、本発明の他の好適な実施の態様を以下のとおり列挙する。
【００７１】
（１）送信者が携帯電話にデジタルコンテンツを伝送する際、受信者にその情報の受信・表示方法を問い合わせ、携帯電話画面上では見づらいと判断した前記受信者が前記デジタルコンテンツを前記受信者のいる場所の近くに設置されている大画面表示装置で大画面表示したいと送信予定者に通知する手段と、前記通知の信号の中には、前記受信者の自分のいる前記場所を知らせる位置情報も含んでいる手段と、前記通知を受けた前記送信者は、前記大画面表示装置に自分の送りたい情報を表示すべくその旨をボタンのクリックにより指示する手段と、前記クリックの動作にて、前記受信者の前記携帯電話に前記受信者の近くの前記大画面表示装置に前記デジタルコンテンツを表示する指示を出す制御情報を送信し、前記受信者の前記位置情報より探し出した前記受信者の近くの前記大画面表示装置に、前記大画面表示装置に表示する前記デジタルコンテンツを配信する手段と、前記受信者は送られてきた前記制御情報を用い身近の前記大画面表示装置に携帯電話のローカル通信用機能を用いて指示を出し、携帯電話画面では見づらい前記デジタルコンテンツを前記大画面表示装置に表示させる手段とを備えたことを特徴とする情報拡大表示システム。
【００７２】
（２）前記情報拡大表示システムにおいて、前記大画面表示装置に表示させると共に、印刷物が欲しければプリンターにより印刷させることもできることを特徴とする情報拡大表示システム。
【００７３】
（３）前記情報拡大表示システムにおいて、前記大画面表示装置に表示する情報は、前記受信者の位置情報より探し出した前記受信者の近くの前記大画面表示装置を特定して携帯電話回線より速いブロードバンド回線経由で配信されることを特徴とする情報拡大表示システム。
【００７４】
（４）前記情報拡大表示システムにおいて、送信者側が送信データに前記大画面表示装置に表示することが望ましい高精細映像を含んでいることを知らせる内容の情報を流し、受信者側が前記情報により、受信者側で受信する高精細映像は常に前記大画面表示装置に表示することを指定していることを特徴とする情報拡大表示システム。
【００７５】
（５）前記情報拡大表示システムにおいて、送信者側がパソコンなどの情報機器で、送信データに前記大画面表示装置に表示することが望ましい高精細映像を含んでいることを知らせる内容の情報を流し、受信者側が前記情報により、受信者側で受信する高精細映像は常に前記大画面表示装置に表示するように指定していることを特徴とする情報拡大表示システム。
【００７６】
（６）前記情報拡大表示システムにおいて、送信者が、大画面用表示映像を送信・配布することをシステム的に組み込まれた情報配信サーバであることを特徴とする情報拡大表示システム。
【００７７】
（７）前記情報拡大表示システムにおいて、前記ローカル通信用機能が赤外線通信方式であることを特徴とする情報拡大表示システム。
【００７８】
（８）前記情報拡大表示システムにおいて、前記ローカル通信用機能がブルートゥース通信方式であることを特徴とする情報拡大表示システム。
【００７９】
（９）前記情報拡大表示システムにおいて、前記ローカル通信用機能が省電力無線通信方式であることを特徴とする情報拡大表示システム。
【００８０】
（１０）前記情報拡大表示システムにおいて、送信者が携帯電話回線より速いブロードバンド回線経由でデジタルコンテンツを送信し、大画面表示装置に拡大表示する場合に、送信者に課金することを特徴とする情報拡大表示システム。
【００８１】
（１１）前記情報拡大表示システムにおいて、送信者がコンテンツ配信事業を行っており、大画面表示装置に拡大表示する場合に、送信者に課金することを特徴とする情報拡大表示システム。
【００８２】
上記の実施形態によれば、次のような効果が得られる。
【００８３】
第１の効果は、現在の携帯画面による高精細コンテンツの表示が見づらい老眼の出始めた高齢者や目の良くない人に、高精細コンテンツを大変見やすくすることである。その理由は、高精細コンテンツを携帯電話受信者の近くに設置されている大画面表示装置に配信するようにしたためである。
【００８４】
第２の効果は、携帯画面による高精細コンテンツの表示が見づらい老眼の出始めた高齢者や目の良くない人の手元に高精細コンテンツが印刷物として残ることである。その理由は、大画面表示装置のそばにプリンターを設置したためである。
【００８５】
第３の効果は、携帯電話画面より早く大量の高精細コンテンツを目にすることができることである。その理由は、携帯電話回線より速いブロードバンド回線を高精細コンテンツの配信に利用したためである。
【００８６】
第４の効果は、高精細映像を受信する場合には、簡単な操作で近くに設置されている大画面表示装置に高精細映像を表示できることである。その理由は、受信者側にて、受信者の携帯電話に、高精細映像が送られる情報が来た時には、自動的に受信者の位置情報と近くに設置されている大画面表示装置に高精細映像を表示するようにと返信する設定をしたためである。
【００８７】
第５の効果は、パソコンなどの情報機器より高精細映像を受信する場合には、簡単な操作で近くに設置されている大画面表示装置に高精細映像を表示できることである。その理由は、受信者側にて、受信者の携帯電話に、高精細映像が送られる情報が来た時には、自動的に受信者の位置情報と近くに設置されている大画面表示装置に高精細映像を表示するようにと返信する設定をしたためである。
【００８８】
第６の効果は、携帯電話所持者が大画面用表示映像の配信の恩恵を受けることができることである。その理由は、情報配信サーバより携帯電話所持者に大画面用表示映像を送信した時に、健常者はもちろんのこと、携帯画面による高精細コンテンツの表示が見づらい老眼の強い高齢者や目の良くない人でも大画面表示装置により大画面用表示映像をみることができることである。
【図面の簡単な説明】
【００８９】
【図１】本発明の実施例による情報拡大表示システムの全体構成を示す概略ブロック図である。
【図２】大画面表示装置の内部構成を示す概略ブロック図である。
【図３】携帯端末の内部構成を示す概略ブロック図である。
【図４】携帯端末Ａから携帯端末Ｂへデジタルコンテンツを送信する際に送信先を大画面表示装置に切り替える場合の情報の流れを説明する図である。
【図５】コンテンツ配信サーバから携帯端末Ｂへデジタルコンテンツを送信する際に送信先を大画面表示装置に切り替える場合の情報の流れを説明する図である。
【図６】本発明の実施例による情報拡大表示システムにおいて、携帯端末Ａから携帯端末Ｂへデジタルコンテンツを送信する際に送信先を大画面表示装置に切り替える場合の動作を説明するシーケンス図である。
【図７】本発明の実施例による情報拡大表示システムにおいて、コンテンツ配信サーバから携帯端末Ｂへデジタルコンテンツを送信する際に送信先を大画面表示装置に切り替える場合の動作を説明するシーケンス図である。
【符号の説明】
【００９０】
１０  基地局Ａ
１１  携帯電話通信部
１２  携帯電話操作部
１３  携帯画面表示部
１４  ローカル通信部
１５  ＢＵＳ（バス）
１６  ハードディスクアレイ
１７  位置情報ファイル格納領域
１８  制御情報ファイル格納領域
２０  携帯端末Ａ
３０  基地局Ｂ
４０  携帯端末Ｂ
５０  大画面表示装置
５１  携帯電話通信部
５３  大画面表示部
５４  ローカル通信部
５５  ＢＵＳ（バス）
５６  ハードディスクアレイ
５７  位置情報ファイル格納領域
５８  制御情報ファイル格納領域
５９  コンテンツ情報ファイル格納領域
６０  位置特定システム
１００  ネットワークＡ
１７０  コンテンツ配信サーバ
２００  ネットワークＢ
【図１】
2006277276.tif 000003
【図２】
2006277276.tif 000004
【図３】
2006277276.tif 000005
【図４】
2006277276.tif 000006
【図５】
2006277276.tif 000007
【図６】
2006277276.tif 000008
【図７】
2006277276.tif 000009